(57)【要約】【課題】  必要に応じて高さサイズを現場であっても迅速に且つ容易に所望サイズまで小さく加工することのできるセンターカバーを備えたユニットバス。【解決手段】  浴室の壁パネルに取り付けられて上方へ延びる配管を覆うセンターカバー（１，１ａ）を備えたユニットバス。センターカバー（１）の上端から所定距離だけ低い高さ位置には、センターカバーの内側面に沿って水平に延びるリブ（２）が設けられている。リブは、四角形の４辺に対応する矩形状の形態を有する。【選択図】  図３
2005334478.tif 000002
【特許請求の範囲】
【請求項１】
浴室の壁パネルに取り付けられて上方へ延びる配管を覆うセンターカバーを備えたユニットバスにおいて、
前記センターカバーの上端から所定距離だけ低い高さ位置には、前記センターカバーの内側面に沿って水平に延びるリブが設けられていることを特徴とするユニットバス。
【請求項２】
前記リブは、四角形の４辺に対応する矩形状の形態を有することを特徴とする請求項１に記載のユニットバス。
【発明の詳細な説明】
【技術分野】
【０００１】
本発明は、ユニットバスに関し、特に浴室の壁パネルに取り付けられて上方へ延びる配管を覆うセンターカバーの構造に関するものである。
【背景技術】
【０００２】
ユニットバスの壁パネルには、たとえばカウンターや浴室ミラーと浴槽との間において、上方へ延びるシャワー配管や水栓ユニットなどを覆うセンターカバーが取り付けられている。通常、センターカバーは、適当な樹脂により型成形されている。
【発明の開示】
【発明が解決しようとする課題】
【０００３】
したがって、従来技術では、カウンター側の壁パネルに窓サッシを取り付けることを断念するか、あるいはセンターカバーを回避して所望位置とは異なる位置に所望サイズよりも小さい窓サッシを取り付けるしかなかった。
【０００４】
もちろん、高さサイズの異なる２種類のセンターカバーを用意することにより、カウンター側の壁パネルに窓サッシを取り付ける計画の有無に対応することもできる。しかしながら、２種類のセンターカバーを用意することは２種類の金型を用いることに他ならず、センターカバーの製造コストの増大を招くことになる。
【０００５】
また、設計時にはカウンター側の壁パネルに窓サッシを取り付ける計画がなかったために、あるいは小さな窓サッシを取り付ける計画しかなかったために高さサイズの大きなセンターカバーを現場に搬入したが、施工に際して急にカウンター側の壁パネルに比較的大きな窓サッシを取り付けることが必要になった場合、現場で迅速に対応することができない。
【０００６】
本発明は、前述の課題に鑑みてなされたものであり、必要に応じて高さサイズを現場であっても迅速に且つ容易に所望サイズまで小さく加工することのできるセンターカバーを備えたユニットバスを提供することを目的とする。
【課題を解決するための手段】
【０００７】
前記課題を解決するために、本発明では、浴室の壁パネルに取り付けられて上方へ延びる配管を覆うセンターカバーを備えたユニットバスにおいて、
前記センターカバーの上端から所定距離だけ低い高さ位置には、前記センターカバーの内側面に沿って水平に延びるリブが設けられていることを特徴とするユニットバスを提供する。
【０００８】
本発明の好ましい態様によれば、前記リブは、四角形の４辺に対応する矩形状の形態を有する。
【発明の効果】
【０００９】
本発明では、センターカバーの上端から所定距離だけ低い高さ位置に、センターカバーの内側面に沿って水平に延びるリブが設けられている。したがって、リブが設けられた高さ位置よりも僅かに高い位置において、リブをガイドにしてセンターカバーを水平に切断して切断位置よりも上部分を取り除くことにより、センターカバーの高さサイズを現場であっても迅速に且つ容易に所望サイズまで小さく加工することができる。なお、センターカバーの切断端面は、たとえばセンターカバーと同じ色および同じ材質を有するカバープレートにより覆われる。
【００１０】
こうして、本発明では、２種類の金型を用いることなく、すなわち製造コストの増大を招くことなく、高さサイズの異なる２種類のセンターカバーを用意して、カウンター側の壁パネルに窓サッシを取り付ける計画の有無に対応することができる。また、設計時にはカウンター側の壁パネルに窓サッシを取り付ける計画がなかったために、あるいは小さな窓サッシを取り付ける計画しかなかったために高さサイズの大きなセンターカバーを現場に搬入したが、施工に際して急にカウンター側の壁パネルに比較的大きな窓サッシを取り付けることが必要になった場合にも、現場で迅速に対応することができる。
【００１１】
なお、本発明では、リブが四角形の４辺に対応する矩形状の形態を有することが好ましい。この構成により、たとえばシャワー配管や水栓ユニットなどを覆うセンターカバーの機能を実質的に損なうことなく、簡素な構成にしたがって十分な補強強度を有するリブを実現することができる。
【発明を実施するための最良の形態】
【００１２】
本発明の実施形態を、添付図面に基づいて説明する。
図１は、本発明の実施形態にかかるユニットバスにおいて高さサイズの大きいタイプのセンターカバーを用いた構成を概略的に示す図である。また、図２は、本実施形態におけるセンターカバーの外観図であって、（ａ）は外側から見た図であり、（ｂ）は内側から見た図である。
【００１３】
図１を参照すると、本実施形態のユニットバスでは、図中左側の壁パネルＷ１に、下側から順に、カウンター１１、吐水ユニット１２および浴室ミラー１３が取り付けられている。また、カウンター１１側の壁パネルＷ１と図中右側の壁パネルＷ２とに隣接するように浴槽１４が設置されている。さらに、壁パネルＷ１には、カウンター１１および浴室ミラー１３と浴槽１４との間において上方へ延びるシャワー配管（不図示）および水栓ユニット（不図示）などを覆うセンターカバー１が取り付けられている。
【００１４】
水栓ユニットは、たとえば常温水を供給する給水配管（不図示）および高温水を供給する給湯配管（不図示）と、吐水ユニット１２に接続する吐水配管（不図示）およびシャワーヘッドに接続するシャワー配管との間に介在している。そして、水栓ユニットは、給水配管および給湯配管から吐水配管への給水や給水配管からシャワー配管への給水などを制御する。センターカバー１は、図２に示すような外観を有し、適当な樹脂により型成形されている。
【００１５】
図１を参照すると、センターカバー１は、高さサイズの大きいタイプであり、その上端は浴室ミラー１３の上端とほぼ一致している。このため、例え浴室ミラー１３を設置しないように計画しても、カウンター１１側の壁パネルＷ１に十分に大きな窓サッシを取り付けることはできない。その結果、従来技術では、図中矩形状の破線で示すように、センターカバー１を回避して所望位置とは異なる位置に所望サイズよりも小さい窓サッシ１５を取り付けるしかなかった。
【００１６】
そこで、本実施形態では、図２（ｂ）などに示すように、センターカバー１の上端から所定距離だけ低い高さ位置に、その内側面に沿って水平に延び且つ四角形の４辺に対応する矩形状の形態を有するリブ２を設けている。したがって、図３（ａ）に示すように、リブ２が設けられた高さ位置よりも僅かに高い位置において、リブ２をガイドにして図中破線で示す切断線３に沿ってセンターカバー１を水平に切断し、切断位置よりも上部分を取り除くことにより、高さサイズの小さいタイプのセンターカバー１ａが得られる。
【００１７】
すなわち、本実施形態では、リブ２をガイドにしてセンターカバー１を水平に切断するという現場でも可能な簡単な加工作業だけで、必要に応じて、センターカバー１の高さサイズを現場であっても迅速に且つ容易に所望サイズまで小さく加工することができる。なお、高さサイズの小さいタイプに加工されたセンターカバー１ａの切断端面は、たとえばセンターカバー（１，１ａ）と同じ色および同じ材質を有するカバープレート４により覆われる。
【００１８】
図５は、本実施形態にかかるユニットバスにおいて高さサイズの小さいタイプに加工されたセンターカバーを用いた構成を概略的に示す図である。図５を参照すると、本実施形態にしたがって高さサイズの小さいタイプに加工されたセンターカバー１ａを用いているので、浴室ミラー１３の設置に代えて、たとえばカウンター１１側の壁パネルＷ１の横方向のほぼ全体に亘って延びるような大きな窓サッシ１６を壁パネルＷ１に設置することが可能になる。
【００１９】
以上のように、本実施形態では、２種類の金型を用いることなく、すなわち製造コストの増大を招くことなく、高さサイズの異なる２種類のセンターカバー（１，１ａ）を用意して、カウンター１１側の壁パネルＷ１に窓サッシを取り付ける計画の有無に対応することができる。また、設計時にはカウンター１１側の壁パネルＷ１に窓サッシを取り付ける計画がなかったために、あるいは小さな窓サッシ１５を取り付ける計画しかなかったために高さサイズの大きなセンターカバー１を現場に搬入したが、施工に際して急にカウンター１１側の壁パネルＷ１に比較的大きな窓サッシ１６を取り付けることが必要になった場合にも、現場で迅速に対応することができる。
【００２０】
特に、本実施形態では、リブ２が四角形の４辺に対応する矩形状の形態を有するので、シャワー配管や水栓ユニットなどを覆うセンターカバー（１，１ａ）の機能を実質的に損なうことなく、簡素な構成にしたがって十分な補強強度を有するリブ２を実現することができる。
【００２１】
なお、上述の実施形態では、加工前のセンターカバー１のリブ２の部分をシャワー配管が貫通して上方へ延びる形態について説明した。しかしながら、図６に示す変形例のように、センターカバー１ｂの下部部分１ｂａにより水栓ユニットおよびシャワー配管の極一部だけが覆われ、シャワーホースがセンターカバー１ｂの下部部分１ｂａまたは上部部分１ｂｂから横方向に引き出される形態も考えられる。この場合、加工前のセンターカバー１ｂのリブ２ａの部分をシャワー配管が貫通する必要がないので、矩形状のプレートによりリブ２ａを構成することができる。
【００２２】
したがって、この変形例では、リブ２ａが設けられた高さ位置よりも僅かに高い位置において、リブ２ａをガイドにして図中破線で示す切断線３に沿ってセンターカバー１ｂを水平に切断し、切断位置よりも上部分を取り除くだけで、高さサイズの小さいタイプのセンターカバー１ｃが最終的に得られる。すなわち、この変形例では、上述の実施形態とは異なり、切断後のセンターカバー１ｃの切断端面を、たとえばカバープレートにより覆う必要はない。
【図面の簡単な説明】
【００２３】
【図１】本発明の実施形態にかかるユニットバスにおいて高さサイズの大きいタイプのセンターカバーを用いた構成を概略的に示す図である。
【図２】本実施形態におけるセンターカバーの外観図であって、（ａ）は外側から見た図であり、（ｂ）は内側から見た図である。
【図３】高さサイズの大きいタイプのセンターカバーを高さサイズの小さいタイプのセンターカバーに加工する様子を概略的に示す図である。
【図４】高さサイズの小さいタイプに加工されたセンターカバーの切断端面にカバープレートを取り付けた状態を概略的に示す図である。
【図５】本実施形態にかかるユニットバスにおいて高さサイズの小さいタイプに加工されたセンターカバーを用いた構成を概略的に示す図である。
【図６】図３に対応する図であって本実施形態の変形例を説明する図である。
【符号の説明】
【００２４】
１，１ａ，１ｂ，１ｃ  センターカバー
２，２ａ  リブ
３  切断線
４  カバープレート
Ｗ１，Ｗ２  壁パネル
１１  カウンター
１２  吐水ユニット
１３  浴室ミラー
１４  浴槽
１５，１６  窓サッシ
【図１】
2005334478.tif 000003
【図２】
2005334478.tif 000004
【図３】
2005334478.tif 000005
【図４】
2005334478.tif 000006
【図５】
2005334478.tif 000007
【図６】
2005334478.tif 000008